(57)【特許請求の範囲】
【請求項１】
連続する無線フレームの各無線フレームが下りフレームと上りフレームとで構成されているＴＤＤ（Time Division Duplex）方式を採用して、移動局と無線通信する基地局において、
前記連続する無線フレームの所定無線フレームの上りフレームにおいて当該基地局へのデータ送信を休止するよう前記移動局に指示し、
前記所定無線フレームの下りフレームにおいて前記移動局へのデータ送信を休止できるかを判定し、
前記移動局へのデータ送信を休止できる場合は、前記所定無線フレームにおいてキャリアセンスを実行する
制御部を備える基地局。
【請求項２】
請求項１に記載の基地局において、前記制御部は、前記キャリアセンスの実行結果に基づいて、当該基地局と通信中の前記移動局に割り当てるチャネルを決定することを特徴とする基地局。
【請求項３】
請求項２に記載の基地局において、前記制御部は、前記割り当てられているチャネルのスロットの他のチャネルのうち、最も通信品質の良いチャネルを前記移動局に割り当てることを特徴とする基地局。
【請求項４】
連続する無線フレームの各無線フレームが下りフレームと上りフレームとで構成されているＴＤＤ（Time Division Duplex）方式を採用して、移動局と無線通信する基地局における通信制御方法において、当該基地局が、
前記連続する無線フレームの所定無線フレームの上りフレームにおいて当該基地局へのデータ送信を休止するよう前記移動局に指示するステップと、
前記所定無線フレームの下りフレームにおいて前記移動局へのデータ送信を休止できるかを判定するステップと、
前記移動局へのデータ送信を休止できる場合は、前記所定無線フレームにおいてキャリアセンスを実行するステップと
を含む通信制御方法。
【発明の詳細な説明】
【技術分野】
【０００１】
本発明は、基地局及び通信制御方法に関するものである。
【背景技術】
【０００２】
ＰＨＳ（Personal Handy-phone System）システムや次世代ＰＨＳシステムであるＸＧＰ（eXtended Global Platform）システム、ＴＤ−ＬＴＥ（Time Division - Long Term Evolution）といった無線通信システムでは、基地局が、移動局にチャネルを割り当てて、通信接続が確立される。
【０００３】
ここで、従来のチャネルの割当て方法について説明する（例えば、特許文献１参照）。基地局は、キャリアセンスを実行し、最も妨害波の少ないスロット及びキャリア（周波数帯）を選択し、そのスロットとキャリアとの組み合わせ（チャネル）を移動局に割り当てる。
【０００４】
移動局が、割り当てられたチャネルで基地局と通信を開始した後に、通信環境の変化により当該チャネルの通信品質が劣化することがある。この場合、基地局は、他の空きスロットのキャリアをキャリアセンスし、通信品質の良い空きスロットのチャネルを新たに移動局に割り当てるか、又はハンドオーバにより移動局の接続先を変更することになる。
【先行技術文献】
【特許文献】
【０００５】
【特許文献１】特開２００９−２０１０７４号公報
【発明の概要】
【発明が解決しようとする課題】
【０００６】
しかし、あるスロットのチャネルから他のスロットのチャネルへの切り替えや、ハンドオーバによる基地局の変更は、通信の一時的な中断を伴うため、スループットの低下につながってしまう。また、他のスロットに空きが存在しない場合や、ハンドオーバによる新たな接続先の候補が存在しない場合には、通信品質を改善することができない。通信品質の劣化が著しいと、基地局と移動局との間の通信接続の維持すらできない状況が生じてしまう。
【０００７】
更に、移動局に割り当てたチャネル（使用チャネル）のスロット（同一スロット）に空きチャネルが存在しているとしても、基地局は、同一スロットでは、キャリアセンスを実行することができない。そのため、基地局は、空きチャネルの通信品質について把握することができない。よって、基地局は、同一スロットの中で通信品質の良いチャネルを移動局に新たに割り当てることができない。
【０００８】
従って、上記のような問題点に鑑みてなされた本発明の目的は、同一スロットにおいてキャリアセンスが実行できる基地局及び通信制御方法を提供することにある。
【課題を解決するための手段】
【０００９】
上述した諸課題を解決すべく、第１の観点に係る基地局の発明は、
連続する無線フレームの各無線フレームが下りフレームと上りフレームとで構成されているＴＤＤ（Time Division Duplex）方式を採用して、移動局と無線通信する基地局において、
前記連続する無線フレームの所定無線フレームの上りフレームにおいて当該基地局へのデータ送信を休止するよう前記移動局に指示し、
前記所定無線フレームの下りフレームにおいて前記移動局へのデータ送信を休止できるかを判定し、
前記移動局へのデータ送信を休止できる場合は、前記所定無線フレームにおいてキャリアセンスを実行する
制御部を備える基地局である。
【００１０】
また、第２の観点に係る発明は、第１の観点に係る基地局において、前記制御部は、前記キャリアセンスの実行結果に基づいて、当該基地局と通信中の前記移動局に割り当てるチャネルを決定することを特徴とするものである。
【００１１】
また、第３の観点に係る発明は、第２の観点に係る基地局において、前記制御部は、前記割り当てられているチャネルのスロットの他のチャネルのうち、最も通信品質の良いチャネルを前記移動局に割り当てることを特徴とするものである。
【００１２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１３】
例えば、本発明を方法として実現させた第４の観点に係る通信制御方法は、
連続する無線フレームの各無線フレームが下りフレームと上りフレームとで構成されているＴＤＤ（Time Division Duplex）方式を採用して、移動局と無線通信する基地局における通信制御方法において、当該基地局が、
前記連続する無線フレームの所定無線フレームの上りフレームにおいて当該基地局へのデータ送信を休止するよう前記移動局に指示するステップと、
前記所定無線フレームの下りフレームにおいて前記移動局へのデータ送信を休止できるかを判定するステップと、
前記移動局へのデータ送信を休止できる場合は、前記所定無線フレームにおいてキャリアセンスを実行するステップと
を含む通信制御方法である。
【発明の効果】
【００１４】
上記のように構成された本発明に係る基地局及び通信制御方法によれば、基地局は、移動局に割り当てたチャネル（使用チャネル）のスロット（同一スロット）においてキャリアセンスを実行することができる。
【図面の簡単な説明】
【００１５】
【図１】図１は、本発明の一実施形態に係る概略的な無線通信システム構成図である。
【図２】図２は、本発明の一実施形態に係る基地局の概略構成を示す機能ブロック図である。
【図３】図３は、本発明の一実施形態に係る基地局の処理を示すフローチャートである。
【図４】図４は、本発明の一実施形態に係る無線フレームを示す説明図である。
【発明を実施するための形態】
【００１６】
以下、本発明の実施形態について、図面を参照して説明する。
【００１７】
図１は、本発明の一実施形態に係る概略的な無線通信システム構成図である。無線通信システム１００は、基地局１０１と、移動局１０３とから構成されている。無線通信システム１００は、ＴＤＤ（Time Division Duplex：時分割複信）方式が採用されているシステムであり、例えばＬＴＥシステムやＸＧＰシステムである。ＴＤＤ方式では、連続する無線フレームが規定され、各無線フレームは、下りフレームと上りフレームとで構成されている。下りフレームは、基地局１０１が移動局１０３にデータを送信することができる時間間隔である。上りフレームは、移動局１０３が基地局１０１にデータを送信することができる時間間隔である。下りフレーム及び上りフレームは、必ずしも同じ長さである必要はなく、非対称とすることができる。また、下りフレーム及び上りフレームは、それぞれ複数のスロット（タイムスロット）で構成されている。無線フレームが連続することにより、下りフレームと上りフレームとが交互に繰り返される。これにより、基地局１０１と移動局１０３とは、送信と受信とを繰り返し切り替え、無線通信を行う。移動局１０３は、例えば、携帯電話端末やＸＧＰ端末である。
【００１８】
図２は、本発明の一実施形態に係る基地局の概略構成を示す機能ブロック図である。本実施形態の基地局１０１は、通信部１１１と記憶部１１３と制御部１１５とを備えている。
【００１９】
通信部１１１は、アンテナを介して移動局１０３とデータ（無線信号）を送受信するものである。通信部１１１は、上りフレームで受信した無線信号に対して低雑音での増幅及びダウンコンバート等を行うことによりベースバンド信号を生成し、制御部１１５に送る。また、通信部１１１は、ベースバンド信号に対してアップコンバート及び増幅等を行うことにより、無線信号を生成し、下りフレームでアンテナを介して当該無線信号を移動局１０３に送信する。なお、データには、移動局１０３から基地局１０１へのアップロードや基地局１０１から移動局１０３へのダウンロードなどに関係するユーザデータと、基地局１０１と移動局１０３との通信接続の確立や維持などに必要な制御データとが含まれる。
【００２０】
記憶部１１３は、後述するキャリアセンス閾値や所定無線フレームの情報などの各種情報を記憶するものであり、ワークメモリ等としても機能する。
【００２１】
制御部１１５は、基地局１０１の各機能ブロックをはじめとして基地局１０１の全体を制御及び管理している。制御部１１５は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００２２】
制御部１１５は、キャリアセンスを実行し、移動局１０３に割当可能なチャネル（スロットとキャリアとの組み合わせ）を特定する。具体的には、制御部１１５は通信部１１１を制御して、電波状況を監視したいキャリアを使用して信号を下りフレーム（のあるスロット）で送信し、上りフレーム（のあるスロット）で当該キャリアの電波を受信する。続いて、制御部１１５は、受信された電波の通信品質値を算出する。通信品質値とは、受信電界強度（ＲＳＳＩ：Received Signal Strength Indicator）や搬送波対雑音比（ＣＮＲ：carrier to noise ratio）などである。本実施形態では、通信品質値は、受信電界強度であるとする。そして、制御部１１５は、算出した受信電界強度を所定のキャリアセンス閾値と比較する。キャリアセンス閾値とは、チャネルの割当可否を判定するための指標である。受信された電波の受信電界強度がキャリアセンス閾値未満である場合、制御部１１５は、当該電波に対応するスロットとキャリアとの組み合わせであるチャネルを、移動局１０３に割当可能なチャネル（割当可能チャネル）であると判定する。そして、制御部１１５は、移動局１０３に割当可能チャネルを移動局１０３に割り当てる。
【００２３】
キャリアセンスを実行するためには、基地局１０１において信号の送受信が必要になる。そのため、制御部１１５は、キャリアセンスの対象とするスロットにおいて移動局１０３と通信していない場合に、キャリアセンスを実行することができる。
【００２４】
また、制御部１１５は、連続する無線フレームの所定無線フレームの上りフレームにおいて基地局１０１へのデータ送信を休止するように指示する信号を生成する。そして、制御部１１５は、生成した信号を移動局１０３に送信するように通信部１１１を制御する。所定無線フレームとは、連続する無線フレームのある周期の無線フレーム又は非周期の無線フレームである。例えば、制御部１１５は、３回の上りフレームに１回の周期でデータ送信を休止するように移動局１０３に指示することができる。また、制御部１１５は、移動局１０３が基地局１０１に送信すべきデータ量に応じて非周期的に、データ送信が休止される上りフレームを決定することもできる。そして、制御部１１５は、連続する無線フレームのうちどの無線フレームが所定無線フレームに該当するかの情報について記憶部１１３に記憶させる。
【００２５】
これより、移動局１０３は、連続する無線フレームの全ての上りフレームではなく、基地局１０１に間欠的にデータ送信（間欠送信）することになる。一般的に基地局１０１から移動局１０３への下り方向でのデータ量よりも、移動局１０３から基地局１０１への上り方向でのデータ量のほうが少ない。そのため、上りフレームにおいて移動局１０３がアップロードにより送信すべきユーザデータが存在しない場合もあるので、移動局１０３が間欠送信しても、スループットが著しく悪くなることはない。全ての上りフレームでのデータ送信が有効になると、移動局１０３は、ユーザデータが存在しないにも関わらず基地局１０１との接続を維持するために制御データを送信することになり、移動局１０３のバッテリーの消費が早まることになる。
【００２６】
更に、制御部１１５は、所定無線フレームの下りフレームにおいて移動局１０３へのデータ送信を休止できるかを判定する。データ送信の休止は、所望のスループットが実現されるかという点で判定されるものであり、例えば、制御部１１５は、基地局１０１が移動局１０３に送信すべきユーザデータが存在しない場合には、移動局１０３へのデータ送信を休止することができる。また、制御部１１５は、所定無線フレームの下りフレームで送信すべきユーザデータが少なく、当該ユーザデータを次に続く無線フレームで送信すべきユーザデータとまとめて次の無線フレームで送信可能な場合にも、移動局１０３へのデータ送信を休止することができる。
【００２７】
所定無線フレームの下りフレームでデータ送信が休止されると、この所定無線フレームでは、上りフレーム及び下りフレーム双方において、基地局１０１と移動局１０３との間の通信が休止されることになる。よって、制御部１１５は、この所定無線フレームでは、移動局１０３との通信で既に使用している（割り当てている）チャネル（使用チャネル）のスロット（同一スロット）における他のキャリアに関してキャリアセンスを実行することができるようになる。制御部１１５が行うその他の処理については、後述の図３の説明にて詳述する。
【００２８】
続いて、本実施形態の基地局１０１によるチャネル割当方法について、図３及び図４を参照して説明する。図３は、本発明の一実施形態に係る基地局の処理を示すフローチャートである。図４は、本発明の一実施形態に係る無線フレームを示す説明図である。
【００２９】
図４では、連続する無線フレームのうち４つの無線フレーム１３１〜１３４が時間軸上に示されている。無線フレーム１３１は、下りフレーム１４１及び上りフレーム１４２で構成され、無線フレーム１３２は、下りフレーム１４３及び上りフレーム１４４で構成され、無線フレーム１３３は、下りフレーム１４５及び上りフレーム１４６で構成され、無線フレーム１３４は、下りフレーム１４７及び上りフレーム１４８で構成されている。そして、基地局１０１は、２回の上りフレームに１回の周期でデータ送信を休止するように移動局１０３に予め指示しているとする。よって、移動局１０３は、上りフレーム１４４及び１４８においてデータ送信を休止するとする。また、下りフレーム１４１及び１４３においては、基地局１０１が移動局１０３に送信すべきユーザデータが有るとする。
【００３０】
また、移動局１０３は、下りフレームにおいて基地局１０１から無線信号を受信すると、当該信号の受信品質値を算出するものとする。受信品質値とは、例えば、ＲＳＳＩや干渉の影響を表す搬送波レベル対干渉雑音比（ＣＩＮＲ：Carrier to Interference and Noise Ratio）である。そして、移動局１０３は、上りフレームにおいて算出した受信品質値を基地局１０１に送信するものとする。この受信品質値は、基地局１０１の制御部１１５が、移動局１０３の受信品質の改善のために新たにチャネルを割り当てたほうがよいかを判定するために用いられる。
【００３１】
まず、無線フレーム１３１の下りフレーム１４１において、基地局１０１の制御部１１５は、無線フレーム１３１がデータ送信を休止できる無線フレームであるかを判定する（ステップＳ１０１）。下りフレーム１４１では、基地局１０１が送信すべきユーザデータが有るので（ステップＳ１０１のＮｏ）、制御部１１５は、移動局１０３に既に割り当てている使用チャネルで、ユーザデータを送信するように通信部１１１を制御する（ステップＳ１０２）。
【００３２】
なお、下りフレーム１４１において空きスロットが存在する場合には、制御部１１５は、空きスロットのキャリアに対してキャリアセンスを実行できる。そして、制御部１１５は、キャリアセンスの実行結果を記憶部１１３に記憶させることができる。以下の下りフレーム１４３、１４５及び１４７においても同様、制御部１１５は、空きスロットのキャリアに対してキャリアセンスを実行できる。
【００３３】
そして、制御部１１５は、無線フレーム１３１の前の無線フレームで受信した受信品質値に基づいて、移動局１０３の受信品質が劣化したかを判定する（ステップＳ１０３）。当該判定は、受信品質値と予め定められた品質閾値との比較により実現される。品質閾値とは、移動局１０３が安定した品質で基地局１０１と通信を行うことができるか否かを判定するための基準であり、例えば、ＲＳＳＩやＣＩＮＲに関する値である。安定した品質とは、例えば、基地局１０１からの無線信号を正しく復調できるための品質や所望のスループット速度を実現できる品質などである。制御部１１５は、品質閾値を記憶部１１３に予め記憶させることができる。
【００３４】
移動局１０３の受信品質値が品質閾値以上である場合、移動局１０３の受信品質は劣化していないと判定する（ステップＳ１０３のＮｏ）。この場合、制御部１１５は、移動局１０３に新たなチャネルを割り当てない。
【００３５】
続いて、上りフレーム１４２において、移動局１０３は、送信すべきデータを基地局１０１に送信する。また、移動局１０３は、下りフレーム１４１において受信した基地局１０１からの無線信号の受信品質値を算出し、算出した値を基地局１０１に送信する。
【００３６】
上りフレーム１４２に続く無線フレーム１３２の下りフレーム１４３において、基地局１０１の制御部１１５は、無線フレーム１３２がデータ送信を休止できる無線フレームであるかを判定する（ステップＳ１０１）。下りフレーム１４３では、下りフレーム１４１と同様、基地局１０１が送信すべきユーザデータは有るので（ステップＳ１０１のＮｏ）、制御部１１５は、ユーザデータを送信するように通信部１１１を制御する（ステップＳ１０２）。そして、制御部１１５は、移動局１０３の受信品質の劣化について判定する（ステップＳ１０３）。
【００３７】
上りフレーム１４４においては、移動局１０３は、データ送信を休止するように指示されているので、移動局１０３は、基地局１０１にデータを送信しない。
【００３８】
無線フレーム１３３の下りフレーム１４５では、基地局１０１が移動局１０３に送信すべきユーザデータは無いので、制御部１１５は、移動局１０３へのデータ送信を休止できると判定する（ステップＳ１０１のＹｅｓ）。そして、制御部１１５は、無線フレーム１３３が、データ送信の休止を移動局１０３に指示した上りフレームを含む無線フレームであるか判定する（ステップＳ１０４）。つまり、制御部１１５は、記憶部１１３の所定無線フレームの情報を読み出し、無線フレーム１３３が所定無線フレームであるか判定する。無線フレーム１３３は、所定無線フレームではないので（ステップＳ１０４のＮｏ）、制御部１１５は、移動局１０３へのデータ送信は休止せずに、移動局１０３との通信接続を維持するための制御データを送信するように通信部１１１を制御する（ステップＳ１０２）。
【００３９】
上りフレーム１４６においては、移動局１０３は、送信すべきデータを基地局１０１に送信する。
【００４０】
無線フレーム１３４の下りフレーム１４７では、基地局１０１が移動局１０３に送信すべきユーザデータは無いので、制御部１１５は、下りフレーム１４５と同様、移動局１０３へのデータ送信を休止できると判定する（ステップＳ１０１のＹｅｓ）。続いて、制御部１１５は、無線フレーム１３４が所定無線フレームであるか判定する（ステップＳ１０４）。制御部１１５は、無線フレーム１３４の上りフレーム１４８においてデータ送信を休止するよう移動局１０３に指示しているので（ステップＳ１０４のＹｅｓ）、制御部１１５は、下りフレーム１４７での移動局１０３へのデータ送信を休止する。
【００４１】
そして、制御部１１５は、無線フレーム１３４においてキャリアセンスを実行する（ステップ１０５）。無線フレーム１３４では、基地局１０１と移動局１０３との間のデータ送受信が休止されることになるので、制御部１１５は、使用チャネルのスロット（同一スロット）におけるキャリアに対してキャリアセンスを実行することができる。そして、制御部１１５は、キャリアセンスの実行結果を記憶部１１３に記憶させる。
【００４２】
ここで、移動局１０３の受信品質値が品質閾値未満になったとする（ステップＳ１０３のＹｅｓ）。すると、制御部１１５は、キャリアセンスの実行結果に基づいて、基地局１０１と通信中の移動局１０３に割り当てるチャネル（割当チャネル）を決定する（ステップＳ１０６）。例えば、制御部１１５は、キャリアセンスの実行結果から、同一スロットの他のチャネルのうち、最も通信品質の良いチャネルを特定する。本実施形態では、最も通信品質の良いチャネルとは、受信電界強度が最も低いチャネルである。そして、制御部１１５は、最も通信品質の良いチャネルを新たに移動局１０３に割り当てる。つまり、制御部１１５は、最も通信品質の良いチャネルの情報を移動局１０３に送信するように通信部１１１を制御する。同一スロット内でのチャネルの変更であるため、移動局１０３は、基地局１０１との通信を中断することなく、チャネルを切り替えることができる。
【００４３】
また、同一スロットにキャリアセンス閾値未満のチャネル（割当可能チャネル）が存在しない場合には、制御部１１５は、空きスロットにおいて最も通信品質の良いチャネルを特定し、移動局１０３に割り当てることができる。
【００４４】
更に、空きスロットにおいても割当可能チャネルが存在しない場合は、制御部１１５は、移動局１０３にハンドオーバの実行を指示することもできる。
【００４５】
このように本実施形態では、基地局１０１の制御部１１５は、移動局１０３へのデータ送信を休止できる下りフレーム１４７を含む所定無線フレーム１３４において、キャリアセンスを実行する。所定無線フレーム１３４では、基地局１０１と移動局１０３との間のデータの送受信が休止されるので、制御部１１５は、使用チャネルのスロット（同一スロット）のキャリアに対してキャリアセンスを行うことができる。これにより、制御部１１５は、同一スロットのチャネルの通信品質を把握することができるので、同一スロットの通信品質の良いチャネルを移動局１０３に新たに割り当てることが可能になる。
【００４６】
また、移動局１０３が基地局１０１と間欠的なパケット通信を行っている場合に、制御部１１５による同一スロットでのキャリアセンスは有効となる。間欠的なパケット通信では、移動局１０３は、基地局１０１と通信接続を確立している間、常にデータ通信を行うわけではないため、基地局１０１は、移動局１０３に常にチャネルを割り当てておく必要がない。そこで、基地局１０１は、移動局１０３がデータを送受信するときのみチャネルを割り当て、移動局１０３がデータを送受信していないときは、同一スロットのチャネルを他の移動局に割り当てることが考えられる。制御部１１５は、移動局１０３と通信接続を確立している間に、同一スロットのキャリアに対してキャリアセンスを実行しておくことにより、移動局１０３との通信終了後にキャリアセンスを実行する必要がない。そのため、制御部１１５は、同一スロットの通信品質の良いチャネルを迅速に他の移動局に割り当てることができる。
【００４７】
更に、移動局１０３がスロットダイバーシティを利用して、複数のスロットを用いて基地局１０１と通信し、且つ無線フレームの全てのスロットが複数の移動局により使用されている場合にも、制御部１１５による同一スロットでのキャリアセンスは有効となる。新たな移動局が基地局１０１との通信接続を希望する場合、基地局１０１は、移動局１０３に割り当てている複数のスロットのうちいずれかを新たな移動局に割り当てることになる。移動局１０３の使用スロットは減り、移動局１０３に関する通信品質は低下することになるが、移動局１０３は、少なくとも１つのスロットを依然として使用できるため基地局１０１と通信を継続できる。移動局１０３に関する同一スロットでのキャリアセンスが実行されることにより、移動局１０３に割り当てている複数のスロットの通信品質を把握することができる。そのため、基地局１０１の制御部１１５は、移動局１０３と新たな移動局との重要度に応じて、複数のスロットのうち最も通信品質の良い（又は悪い）スロットを新たな移動局に割り当てることができる。
【００４８】
更に、基地局１０１と移動局１０３とが通信接続の切断処理を行っているときに、新たな移動局が基地局１０１との通信接続を希望する場合にも、制御部１１５による同一スロットでのキャリアセンスは有効となる。制御部１１５が、移動局１０３との通信接続中に同一スロットでのキャリアセンスを実行しておくことにより、移動局１０３との通信接続の切断後、同一スロットの通信品質の良いチャネルを迅速に新たな移動局に割り当てることができる。
【００４９】
また本実施形態では、制御部１１５は、移動局１０３に割り当てられているチャネル（使用チャネル）のスロットの他のチャネルのうち、受信電界強度が最も低い（通信品質が最も良い）チャネルを移動局１０３に割り当てることができる。これにより、同一スロット内でチャネルの変更が行わるため、移動局１０３は、基地局１０１との通信を中断することなく、チャネルを切り替えることができる。
【００５０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５１】
例えば、各部材、各手段、各ステップなどに含まれる機能などは論理的に矛盾しないように再配置可能であり、複数の手段やステップなどを１つに組み合わせたり、或いは分割したりすることが可能である。
【００５２】
上述の本発明の実施形態の説明において、移動局１０３の受信品質値が品質閾値未満になった場合に、制御部１１５は、移動局１０３に新たにチャネルを割り当てるとして説明したが、本発明はこの態様に限定されるものではない。移動局の受信品質値が品質閾値未満である場合、新たなチャネルを割り当てるための信号が正しく基地局から移動局に届かないおそれがある。そこで、制御部は、移動局の受信品質値に関わらず、キャリアセンスの実行の度に、最も通信品質の良いチャネルを移動局に割り当てることができる。これにより、制御部は、確実に移動局の受信品質が改善されるチャネルを移動局に割り当て続けることができる。また、制御部が使用チャネルのスロットの他のチャネルを移動局に割り当て続ける限り、基地局と移動局との間の通信は中断されないため、頻繁にチャネルを割り当てても問題は生じない。なお、最も通信品質の良いチャネルが使用チャネルである場合は、制御部によりチャネルが移動局に割り当てられても、移動局においてチャネルの切り替えは行われないことになる。
【００５３】
また、上述の本発明の実施形態の説明において、例えば、閾値「以上」または閾値「未満」のような表現の技術的思想が意味する内容は必ずしも厳密な意味ではなく、基地局の仕様に応じて、基準となる値を含む場合又は含まない場合の意味を包含するものとする。例えば、閾値「以上」とは、閾値の比較対象である値が閾値に達した場合のみならず、閾値を超えた場合も含意し得るものとする。また、例えば閾値「未満」とは、閾値の比較対象である値が閾値を下回った場合のみならず、閾値に達した場合、つまり閾値以下になった場合も含意し得るものとする。
【符号の説明】
【００５４】
１００  無線通信システム
１０１  基地局
１０３  移動局
１１１  通信部
１１３  記憶部
１１５  制御部
１３１〜１３４  無線フレーム
１４１、１４３、１４５、１４７  下りフレーム
１４２、１４４、１４６、１４８  上りフレーム
【図１】
0005771160.tif 000002
【図２】
0005771160.tif 000003
【図３】
0005771160.tif 000004
【図４】
0005771160.tif 000005